(57)【要約】      （修正有）【課題】狭い場所で、人体に広い範囲に刺激を与え、リハビリ、健康維持に効果を与える温水流発生装置を提供する。【解決手段】浴槽内の流体を循環させる流体通路を浴槽３に付設した温水流発生装置において、プロペラ羽根式流出器９と開閉ダンパー２の整流板１３からなる上下変動の流通機構で、０．５〜３ｍ３の浴槽内において、流速１〜５ｍ／秒の温水流量で渦流循環となる加圧流体を流出する機構を設ける。【選択図】図１
0003159546.tif 000002
【実用新案登録請求の範囲】
【請求項１】
浴槽内の流体を循環させる流体通路を浴槽に付設した温水流発生装置において、プロペラ羽根式流出器と開閉ダンパーの整流板からなる上下変動の流通機構で、０．５〜３ｍ３の浴槽内において、流速１〜１０ｍ／秒の温水流量で渦流循環系の加圧流体になるようにしていることを特徴とする流水による健康増進装置。
【請求項２】
浴槽内の流体を循環させる流体通路を浴槽に付設した温水流発生装置において、プロペラ羽根式流出器は、プロペラの羽根２〜５枚で、羽根の長さ１００〜３００ｍｍであって、回転数を１００〜１０００ｒｐｍで自動的に制御できるようになっていることを特徴とする請求項１に記載の流水による健康増進装置温水流発生装置。
【請求項３】
浴槽内の流体を循環させる流体通路を浴槽に付設した温水流発生装置において、開閉ダンパー整流器は、横２００〜６００ｍｍ、縦２００〜６００ｍｍの枠体に、ダンパー板を２〜８枚にして、水平方向に対して上部に４５°、下部に４５°の角度の範囲で自動的に移動できるようにしていることを特徴とする請求項１〜３のいずれかに記載の流水による健康増進装置。
【請求項４】
浴槽内の流体を循環させる流体通路を温水が循環できるように側面に還流路を設けており、浴槽内の温水の流速を１〜１０ｍ／秒の上下変動の渦流で加圧されるようにしていることを特徴とする請求項１から３のいずれかの項に記載の流水による健康増進装置。
【請求項５】
浴槽内の流体を循環させる流体通路を浴槽に付設した温水流発生装置において、 前記加圧温水の流体の温度は、２５〜４２℃であって、浴槽の底に足踏み部と殺菌可能な器具を設けていることを特徴とする請求項１から４のいずれかに記載の流水による健康増進装置。
【請求項６】
浴槽内の流体を循環させる流体通路を浴槽に付設した温水流発生装置において、深さ１０００〜１５００ｍｍの浴槽に、外部と内部に梯子、及び内部に加熱部を取り付けていることを特徴とする請求項１〜５のいずれかに記載の流水による健康増進装置。
【請求項７】
浴槽内の流体を循環させる流体通路を浴槽に付設した温水流発生装置において、浴槽の
環流の流路に、浮遊物の捕集装置と水質殺菌装置を取り付けていることを特徴とする請求項１〜６のいずれかに記載の流水による健康増進装置。
【考案の詳細な説明】
【技術分野】
【０００１】
本考案は、浴槽の一部から流体を噴出する温水流を発生させて、健康増進をさせる装置に関する。
【背景技術】
【０００２】
従来、浴槽の一部に形成された小孔から加圧流体を噴出するジェットバスが多数用いられている。これらのジェットバスは、例えば直径１０〜１５ｍｍ程度の小孔から例えば５ｍ／ｓ程度の速度の温水に気泡を混ぜて噴出し、背中や腕、足等の狭い範囲に圧力を加えている。ジェットバスに所定時間入浴することにより、所定の範囲の血行をよくすることができる。
【０００３】
浴槽内において、底部より所定の間隔をもって底部に平行に配設された取り外し可能な仕切板と、仕切板の上方において、前方より後方に向けて流れるジェット水流を噴出する噴出口と、後方において浴槽の底部と仕切板との間に流体を回流させる回流経路と、噴出口に設けられた吸込口と、浴槽の外側において、噴出口と吸込口との間のポンプとを有し、流出口は複数個を分散して、噴射口に対して開閉する手段を有している高速の水流式回流浴槽が提案されている。（特許文献１参照）
【０００４】
又水槽内を流水域に仕切る仕切壁と、この仕切壁の両端において流水域をそれぞれ連通する短絡部と、この短絡部の外側に水槽の各壁の一方の壁において流水域に面して形成された噴出口と、水槽の各壁において流水域に形成された吸込口と、他方の壁において流水域に形成された噴出口と、噴出口および吸込口を他方の流水域に環流する環流水路と、各環流水路内に配置された各流水域に水を噴出させる水流発生器とを備えて構成された流水プールを提案されている。（特許文献２参照）
【０００５】
広い範囲に刺激を与える温水流発生装置で、流入口と流出口を備え、湯を循環させる浴槽に形成されており、流入口は、幅が高さに対して、０．２５ｍ２の開口部面積を有し、流速２．０ｍ／ｓで、浴槽内で乱流となる４０℃付近の加圧流体を直径４００ｍｍの軸流羽根により加圧して噴出した乱流は、入浴中の人の体表面に流れ、体表面全体に１３Ｈｚのフラッタ（自励振動）を発生させることにより人体に刺激を与える装置が示されている。（特許文献３参照）
【０００６】
さらに浴槽の前後壁面の壁面に形成された流入口と、浴槽の前後壁面に形成された流出口と、流入口と流出口とを接続する流体通路と、浴槽水を循環させる手段とを有する流水浴槽で、流体通路を、浴槽の底面の下を通るように形成されて、浴槽と一体に形成されている流水浴槽が提案されている。（特許文献４参照）
【先行技術文献】
【特許文献】
【０００７】
【特許文献１】特開平８−３０８７６１号
【特許文献２】特開平９−７８８６５号
【特許文献３】特開２００３−３８６０３号
【特許文献４】特開２００５−２１１２３８号
【考案の概要】
【考案が解決しようとする課題】
【０００８】
従来健康管理として、プール内での歩行でもたらしていた。この場合、大きな場所を必要とする。健康維持、リハビリとしては水の水圧による運動は非常に効果をもたらす。一方ジェットバスは、狭い範囲に高い圧力が加わるため、体全体に同時に刺激を加えることができない。
【０００９】
また、狙った部位に圧力を加えるためには、浴槽内であまり体を動かすことができない。このため、体全体をリラックスさせることが困難であり、血行促進や十分な睡眠をとること等の生体機能の向上には効果が小さい。そこで本考案が解決しようとする課題は、狭い場所で、人体に広い範囲に刺激を与え、リハビリ、健康維持に効果を与える温水流発生装置を提供することにある。
【課題を解決するための手段】
【００１０】
前記課題を解決するため、温水流発生装置は、浴槽内の流体を循環させる流体通路を浴槽に付設した温水流発生装置にした。
浴槽内の流体を循環させる流体通路を浴槽に付設した温水流発生装置において、プロペラ流出器と開閉ダンパー整流器からなる上下変動の流通で、流速１〜５ｍ／秒の温水流量で０．５〜３ｍ３の浴槽内で直流循環となる加圧流体を流出する機構を設けている流水による健康増進装置である。
【００１１】
浴槽内の流体を循環させる流体通路を浴槽に付設した温水流発生装置において、プロペラ撹拌器は、３〜５羽根で羽根の長さ１００〜３００ｍｍであって、回転数を１００〜１０００ｒｐｍで自動的に制御できるようになっている。
好ましくはプロペラ撹拌器を、３羽根で羽根の長さ２００〜３００ｍｍにして、回転数を２００〜８００ｒｐｍである。
【００１２】
浴槽内の流体を循環させる流体通路を浴槽に付設した温水流発生装置において、開閉ダンパーは、横２００〜６００ｍｍ、縦２００〜６００ｍｍの枠体にダンパー板を４〜８枚であって、ダンパー板を２〜８枚であって、水平方向に対して上部に４５°、下部に４５°の角度の範囲で自動的に移動できるようにしている。
好ましくは、開閉ダンパーは、横４００〜６００ｍｍ、縦４００〜６００ｍｍの枠体にダンパー板を４〜６枚であって、水平方向に対して上部に３０°、下部に３０°の角度である。
【００１３】
浴槽内の流体を循環させる流体通路を浴槽における０．５〜３ｍ３の浴槽は温水が循環できるように側面に還流路を設けており、浴槽内の温水の流速１〜５ｍ／秒の上下の渦流流量で加圧されるようにしている。
【００１４】
浴槽内の流体を循環させる流体通路を浴槽に付設した温水流発生装置において、前記圧温水の流体の温度は、３０〜４２℃であって、浴槽の底に足踏み部を設けている。好ましくは、温水の流体の温度は、３５〜３８℃である。
【００１５】
浴槽内の流体を循環させる流体通路を浴槽に付設した温水流発生装置において、浴槽の深さを１０００〜１５００ｍｍであって、外部又は内部に梯子を取り付け、さらに加熱器を内部に取り付けている流水による健康増進装置である。
浴槽内の流体を循環させる流体通路を浴槽に付設した温水流発生装置において、浴槽の
環流の流路に、浮遊物の捕集装置と水質殺菌装置を取り付けている。
【００１６】
流入口の面積は、４００ｃｍ２より小さくにすると、狭い範囲にしか刺激を与えることができず、また、３６００ｃｍ２より大きくすると、使用するプロペラの直径を大きくする必要があり、装置が大掛かりになる。ダンパーの出口面積を４００〜３６００ｃｍ２の範囲にするので、流入口より広い範囲を同時に加圧して刺激することができる。なおこの範囲は、５００〜３０００ｃｍ２にすると好ましく、また４００〜３６００ｃｍ２にするとより好ましく、係る範囲に設定することにより人体背中全体を刺激することができる。
【００１７】
また、前記加圧流体の流速を、１〜５ｍ／ｓにすることも可能である。流速が１ｍ／ｓより小さいと刺激が伝達されず、５ｍ／ｓより大きいと流体に押されて下流側に流されてしまうことがあるからである。
【００１８】
さらに、前記加圧流体を、直径１００〜３００ｍｍの軸流羽根により加圧することも可能である。軸流羽根は、浴槽の外側に設けられ、流出口と流入口をつなぐ流体通路の途中位置に設けられている。直径が１００ｍｍより小さいと、流速が速くなりすぎ、人体に対する刺激が強くなりすぎ、また、３００ｍｍより大きくなると、装置が大型化し、設置が困難になるからである。
【００１９】
また、前記加圧流体の温度を、３０〜４２℃にすることも可能である。温度が３０℃より低いと体温の上昇が小さすぎ、また、４２℃より高いと疲労が大きくなり、長時間の入浴が困難である。
【考案の効果】
【００２０】
本考案によれば次の効果を奏する。
（１）浴槽は、０．５〜２ｍ３に形成されたダンパー枠体の面積を４００〜３６００ｃｍ２の流入口から浴槽内で直流となる加圧流体を噴出するので、流入口より広い範囲を同時に加圧して、人体に刺激することができる。
（２）また、前記加圧流体の流速を１〜５ｍ／ｓにすると、人体に当たった加圧流体により、体表面の広い範囲を大きく振動させることができる。
【００２１】
（３）さらに、半径１００〜３００ｍｍの軸流羽根で加圧すると、装置の巨大化を抑えて少ない振動で運転することができる。
（４）また、加圧流体の温度を、３０〜４２℃にすると、体温を、疲労が小さい範囲まで上昇させることができ、長時間の入浴を行うことができる。
【００２２】
（５）温水流発生装置のように入浴部全体部分で流れがあり、その流れは直流で入浴者の体に刺激を与えるように流れている装置である。
（６）立位状態では血液が下肢部に集中しやすいが、座位状態でも可能であり、血液の流れは分散されて体全体に行き渡る。また、座位状態だと体が非常にリラックスでき、筋肉の緊張も和らげる。よって体全身への効果がある。
【図面の簡単な説明】
【００２３】
【図１】流水による健康増進装置の平面図
【図２】流水による健康増進装置の断面図
【図３】開閉ダンパーの整流板の平面図
【図４】開閉ダンパーの整流板の断面図（Ａ）と開閉状況図（Ｂ）
【図５】プロペラ羽根式流出器の図
【図６】足踏み台図平面図（Ａ）と側面図（Ｂ）
【図７】流量コントロールシステム図
【考案を実施するための形態】
【００２４】
以下、本考案の実施の形態について説明する。
図１は本考案の第１の実施の形態に係る温水流発生装置の平面図、図２は同温水流発生装置の側断面図である。
【実施例１】
【００２５】
実施するための形態に係る流水による健康増進装置は、長さ２２５５ｍｍ、幅１２００ｍｍで、水深を１０００ｍｍに設定できる長さ１３００ｍｍ、幅８００ｍｍ、深さ１２００ｍｍの浴槽３を有し、浴槽３の長手方向の一側には流入口開閉ダンパー２、他側には流出口が形成されている。流入口の開閉ダンパー２及び流出口は一辺５００ｍｍの矩形に形成され、格子状のガード部材を、流入口部と排出口部のそれぞれに設けた。またダンパーの板は４枚で上下に回転できるようにした。
【００２６】
湯水は流入口開閉ダンパー２から上下に流出されて、排出口部を通過して、左右の流体通路４を通って還流した。モータ５によって駆動されているプロペラ羽根の流出器(直径４８０ｍｍの軸流羽根７)に還り、再度加圧湯水の流体を加圧して流出させた。
【００２７】
駆動モータ５は、図７の制御装置により０．５〜５．０ｍ／ｓの範囲で変速可能に設けられている。浴槽内に流入された所定温度の湯は、駆動モータ５を始動することにより流動を開始し、流入口開閉ダンパー２から浴槽３内に噴出された。浴槽３又は流体通路４内にはヒータが設けられており、湯の温度を３６〜３８℃の範囲内で調整した。
【００２８】
図１に示すような装置において、水深１ｍ程度に湯水を入れた。使用者は。装置の中心部に体を置き、温度として約３８℃の湯温に設定し、流速は最初低速の０.５ｍ/ｓから徐々に上げて２ｍ/ｓで流水を発生させた。１５分間程度身体を浴槽に浸して、その後浴槽を出た時、約３０分後足先から腰くらいまでが感覚的に、ぽかぽかして来て、冷え性だった足が暖かくなったと使用者が感想を述べられた。
【実施例２】
【００２９】
実施の形態に係る流水による健康増進装置は、長さ２２５５ｍｍ、幅１２００ｍｍで、水深を１０００ｍｍに設定できる長さ１３００ｍｍ、幅８００ｍｍ、深さ１２００ｍｍの浴槽３を有し、浴槽３の長手方向の一側には流入口開閉ダンパー２、他側には流出口が形成されている。流入口の開閉ダンパー２及び流出口は一辺５００ｍｍの矩形に形成され、格子状のガード部材を、流入口部と排出口部のそれぞれに設けた。またダンパーの板は４枚で上下に回転できるようにした。
【００３０】
湯水は流入口開閉ダンパー２から上下に流出されて、排出口部を通過して、左右の流体通路４を通って還流した。モータ５によって駆動されているプロペラ羽根の流出器(直径４８０ｍｍの軸流羽根７)に還り、再度加圧湯水の流体を加圧して流出させた。
【００３１】
駆動モータ５は、図７制御装置により０．５〜５．０ｍ／ｓの範囲で変速可能に設けられている。浴槽内に流入された所定温度の湯は、駆動モータ５を始動することにより流動を開始し、流入口開閉ダンパー２から浴槽３内に上下４５度の角度で噴出された。浴槽３又は流体通路４内にはヒータが設けられており、湯の温度を３６〜３８℃の範囲内で調整した。また底には、直径１５０ｍｍのステンレスパイプで長さ５００ｍｍのものを半分にしたものを３個敷いたものを足踏み台として設置した。
【００３２】
図１に示すような装置において、水深１ｍ程度に湯水を入れた。使用者は。装置の中心部に体を置き、温度として約３８℃の湯温に設定し、流速は最初低速の０.５ｍ/ｓから徐々に上げて２ｍ/ｓで上下渦流の温水を発生させた。１５分間程度足踏み台で、足踏みした。その後浴槽を出た時、約３０分後足先から腰くらいまでが感覚的に、ぽかぽかして来て、足が暖かくなり、足の運動には非常に効果的であったと使用者が感想を述べられた。
【００３３】
図２の側断面図の足踏み器を使用し、その感想を伺ったところ、平面の足裏よりパイプ状の足踏み台があった方が足つぼマッサージのようで心地よいとの感想であった。
実施例１と同様に足の部分が暖かくなったように感じるのは同じで、さらに運動した後の心地よい疲労感がふくらはぎ部に感じられた。使用者は通常の流水浴効果と足踏みによる下半身及び脚部の筋力増強と運動量の増加、さらに半円形の踏み足台形状による指圧効果により健康増進することが出来た。
【実施例３】
【００３４】
実施例１と同様な形態に係る流水による健康増進装置は、長さ２７００ｍｍ、幅１５００ｍｍで、水深を１０００ｍｍに設定できる長さ１８００ｍｍ、幅１１００ｍｍ、深さ１２００ｍｍの浴槽３を有し、浴槽３の長手方向の一側には流入口開閉ダンパー２、他側には流出口が形成されている。流入口の開閉ダンパー２及び流出口は一辺５００ｍｍの矩形に形成され、格子状のガード部材を、流入口部と排出口部のそれぞれに設けた。またダンパーの板は４枚で上下に回転できるようにした。
【００３５】
湯水は流入口開閉ダンパー２から上下に流出されて、排出口部を通過して、左右の流体通路４を通って還流した。モータ５によって駆動されているプロペラ羽根の流出器(直径５５０ｍｍの軸流羽根７)に還り、再度加圧湯水の流体を加圧して流出させた。
【００３６】
駆動モータ５は、図７制御装置により０．５〜５．０ｍ／ｓの範囲で変速可能に設けられている。浴槽内に流入された所定温度の湯は、駆動モータ５を始動することにより流動を開始し、流入口開閉ダンパー２から浴槽３内に上下４５度の角度で噴出された。浴槽３又は流体通路４内にはヒータが設けられており、湯の温度を３６〜３８℃の範囲内で調整した。また底には、直径１５０ｍｍのステンレスパイプで長さ５００ｍｍのものを半分にしたものを３個敷いたものを足踏み台として設置した。
【００３７】
図１に示すような装置において、水深１ｍ程度に湯水を入れた。使用者は。装置の中心部に体を置き、温度として約３６℃の湯温に設定し、流速は最初低速の０.５ｍ/ｓから徐々に上げて２ｍ/ｓで上下流の温水を発生させた。３０分間程度足踏み台で、足踏みした。その後浴槽を出た時、約３０分後足先から腰くらいまでが感覚的に、ぽかぽかして来て、足が暖かくなり、足の運動には非常に効果的であったと使用者が感想を述べられた。
【００３８】
図６の側断面図の足踏み器を使用し、その感想を伺ったところ、平面の足裏よりパイプ状の足踏み台があった方が足つぼマッサージのようで心地よいとの感想であった。
実施例１と同様に足の部分が暖かくなったように感じるのは同じで、さらに運動した後の心地よい疲労感がふくらはぎ部に感じられた。
使用者は通常の流水浴効果と足踏みによる下半身及び脚部の筋力増強と運動量の増加、さらに半円形の踏み足台形状による指圧効果により健康増進することが出来た。
【００３９】
さらに、実施例２と同じ条件で、１５分間ほど浴槽浸かるのは同じで、中速（流速２.０ｍ/ｓ〜3ｍ/ｓ）にして、同じ動きをした。１５分間の歩行運動を行い、終了した時点では実施例２と同じ感覚であるが、ぽかぽかして来る時間が早くなった。
【００４０】
高速の場合、水の圧力が強くなり（流速３.２ｍ/ｓ）高齢者や体力的に弱い人には、多少きついと思われるのであまり進められない、刺激が強い方がよいと言われる方には十分な水圧であるが、体力の消耗が早くなるため１５分が限界であった。（長時間流水に体を当てると疲れるようだ）
【実施例４】
【００４１】
実施の形態に係る流水による健康増進装置は、長さ２７００ｍｍ、幅１５００ｍｍで、水深を１０００ｍｍに設定できる長さ１８００ｍｍ、幅１１００ｍｍ、深さ１２００ｍｍの浴槽３を有し、浴槽３の長手方向の一側には流入口開閉ダンパー２、他側には流出口が形成されている。流入口の開閉ダンパー２及び流出口は一辺５００ｍｍの矩形に形成され、格子状のガード部材を、流入口部と排出口部のそれぞれに設けた。またダンパーの板は３枚で上下に回転できるようにした。
【００４２】
湯水は流入口開閉ダンパー２から上下に流出されて、排出口部を通過して、左右の流体通路４を通って還流した。モータ５によって駆動されているプロペラ羽根の流出器(直径４８０ｍｍの軸流羽根７)に還り、再度加圧湯水の流体を加圧して流出させた。
【００４３】
駆動モータ５は、図７制御装置により０．５〜５．０ｍ／ｓの範囲で変速可能に設けられている。浴槽内に流入された所定温度の湯は、駆動モータ５を始動することにより流動を開始し、流入口開閉ダンパー２から浴槽３内に上下４５度の角度で噴出された。浴槽３又は流体通路４内にはヒータが設けられており、湯の温度を３６〜３８℃の範囲内で調整した。また底には、直径１５０ｍｍのステンレスパイプで長さ５００ｍｍのものを半分にしたものを３個敷いたものを足踏み台として設置した。また浴槽に入り易くするために５段の階段を外部と、腰掛兼用の２段ステップを内部に設けた。さらに湯水の循環の水路には紫外線殺菌器と浮遊物捕集の目開き１ｍｍの樹脂ネットをセットした。
【００４４】
図１に示すような装置において、水深１ｍ程度に湯水を入れた。使用者は。装置の中心部に体を置き、温度として約３８℃の湯温に設定し、流速は最初低速の０.５ｍ/ｓから徐々に上げて３.２ｍ/ｓで上下流の温水を発生させた。１５分間程度足踏み台で、足踏みした。流速が早くなると（３.２ｍ/ｓ）運動量が増加するので、短時間で（１０分程）実施例２の効果に至ったが、ぽかぽか感よりも疲労感の方が勝った。
【００４５】
図７の側断面図の足踏み器を使用し、その感想を伺ったところ、平面の足裏よりパイプ状の足踏み台があった方が足つぼマッサージのようで心地よいとの感想であった。
実施例１と同様に足の部分が暖かくなったように感じるのは同じで、さらに運動した後の心地よい疲労感がふくらはぎ部に感じられた。
使用者は通常の流水浴効果と足踏みによる下半身及び脚部の筋力増強と運動量の増加、さらに半円形の踏み足台形状による指圧効果により健康増進することが出来た。
【００４６】
また、腰掛兼用の２段ステップを内部に設けたことにより、腰掛けた状態で胸の位置まで流水浴を行うことが出来た。この状態で１５分入浴した後浴槽を出た時、下半身から、腹部、胸部にかけて感覚的に、ぽかぽかして来て暖かくなり、流水浴効果がみとめられた。
【符号の説明】
【００４７】
１．流水発生装置
２．開閉ダンパー
３．浴槽
４．還流路
５．駆動モーター
６．駆動プーリー
７．駆動ベルト
８．受動プーリー
９．羽式流出器
１０．昇降梯子
１１．足踏み器
１２．整流板枠
１３．整流板
１４．調整ハンドル
１５．回転軸
１６．調整ねじ
１７．固定軸受け
１８．可動軸受け
１９．プロペラ羽
２０．プロペラ軸
２１．軸受け
２２．足踏み半パイプ
【図１】
0003159546.tif 000003
【図２】
0003159546.tif 000004
【図３】
0003159546.tif 000005
【図４】
0003159546.tif 000006
【図５】
0003159546.tif 000007
【図６】
0003159546.tif 000008
【図７】
0003159546.tif 000009
【手続補正書】
【提出日】平成22年3月23日(2010.3.23)
【手続補正１】
【補正対象書類名】実用新案登録請求の範囲
【補正対象項目名】全文
【補正方法】変更
【補正の内容】
【実用新案登録請求の範囲】
【請求項１】
浴槽内の流体を循環させる流体通路を浴槽に付設した温流水を発生させる装置において、プロペラ羽根式流出器と開閉ダンパーの整流板からなる上下変動の流通機構で、０．５〜３ｍ３の浴槽内において、流速１〜１０ｍ／秒の温水流量で渦流循環系の加圧流体になるようにしていることを特徴とする温流水による健康増進装置。
【請求項２】
浴槽内の流体を循環させる流体通路を浴槽に付設した温流水を発生させる装置において、プロペラ羽根式流出器は、プロペラの羽根２〜５枚で、羽根の長さ１００〜３００ｍｍであって、回転数を１００〜１０００ｒｐｍで自動的に制御できるようになっていることを特徴とする請求項１に記載の温流水による健康増進装置。
【請求項３】
浴槽内の流体を循環させる流体通路を浴槽に付設した温流水を発生させる装置において、開閉ダンパー整流器は、横２００〜６００ｍｍ、縦２００〜６００ｍｍの枠体に、ダンパー板を２〜８枚にして、水平方向に対して上部に４５°、下部に４５°の角度の範囲で自動的に移動できるようにしていることを特徴とする請求項１、又は請求項２に記載の温流水による健康増進装置。
【請求項４】
浴槽内の流体を循環させる流体通路を温水が循環できるように側面に還流路を設けており、浴槽内の温水の流速を１〜１０ｍ／秒の上下変動の渦流で加圧されるようにしていることを特徴とする請求項１から請求項３のいずれかの項に記載の温流水による健康増進装置。
【請求項５】
浴槽内の流体を循環させる流体通路を浴槽に付設した温流水を発生させる装置において、 前記加圧温水の流体の温度は、２５〜４２℃であって、浴槽の底に足踏み部と殺菌可能な器具を設けていることを特徴とする請求項１から請求項４のいずれかに記載の温流水による健康増進装置。
【請求項６】
浴槽内の流体を循環させる流体通路を浴槽に付設した温流水を発生させる装置において、深さ１０００〜１５００ｍｍの浴槽に、外部と内部に梯子、及び内部に加熱部を取り付けていることを特徴とする請求項１〜請求項５のいずれかに記載の温流水による健康増進装置。
【請求項７】
浴槽内の流体を循環させる流体通路を浴槽に付設した温流水を発生させる装置において、浴槽の
環流の流路に、浮遊物の捕集装置と水質殺菌装置を取り付けていることを特徴とする請求項１〜請求項６のいずれかに記載の温流水による健康増進装置。
【手続補正２】
【補正対象書類名】明細書
【補正対象項目名】全文
【補正方法】変更
【補正の内容】
【考案の詳細な説明】
【技術分野】
【０００１】
本考案は、浴槽の一部から流体を噴出する温水流を発生させて、健康増進をさせる装置に関する。
【背景技術】
【０００２】
従来、浴槽の一部に形成された小孔から加圧流体を噴出するジェットバスが多数用いられている。これらのジェットバスは、例えば直径１０〜１５ｍｍ程度の小孔から例えば５ｍ／ｓ程度の速度の温水に気泡を混ぜて噴出し、背中や腕、足等の狭い範囲に圧力を加えている。ジェットバスに所定時間入浴することにより、所定の範囲の血行をよくすることができる。
【０００３】
浴槽内において、底部より所定の間隔をもって底部に平行に配設された取り外し可能な仕切板と、仕切板の上方において、前方より後方に向けて流れるジェット水流を噴出する噴出口と、後方において浴槽の底部と仕切板との間に流体を回流させる回流経路と、噴出口に設けられた吸込口と、浴槽の外側において、噴出口と吸込口との間のポンプとを有し、流出口は複数個を分散して、噴射口に対して開閉する手段を有している高速の水流式回流浴槽が提案されている。（特許文献１参照）
【０００４】
又水槽内を流水域に仕切る仕切壁と、この仕切壁の両端において流水域をそれぞれ連通する短絡部と、この短絡部の外側に水槽の各壁の一方の壁において流水域に面して形成された噴出口と、水槽の各壁において流水域に形成された吸込口と、他方の壁において流水域に形成された噴出口と、噴出口および吸込口を他方の流水域に環流する環流水路と、各環流水路内に配置された各流水域に水を噴出させる水流発生器とを備えて構成された流水プールを提案されている（特許文献２参照）。
【０００５】
広い範囲に刺激を与える温水流発生装置で、流入口と流出口を備え、湯を循環させる浴槽に形成されており、流入口は、幅が高さに対して、０．２５ｍ２の開口部面積を有し、流速２．０ｍ／ｓで、浴槽内で乱流となる４０℃付近の加圧流体を直径４００ｍｍの軸流羽根により加圧して噴出した乱流は、入浴中の人の体表面に流れ、体表面全体に１３Ｈｚのフラッタ（自励振動）を発生させることにより人体に刺激を与える装置が示されている。（特許文献３参照）
【０００６】
さらに浴槽の前後壁面の壁面に形成された流入口と、浴槽の前後壁面に形成された流出口と、流入口と流出口とを接続する流体通路と、浴槽水を循環させる手段とを有する流水浴槽で、流体通路を、浴槽の底面の下を通るように形成されて、浴槽と一体に形成されている流水浴槽が提案されている（特許文献４参照）。
【先行技術文献】
【特許文献】
【０００７】
【特許文献１】特開平８−３０８７６１号
【特許文献２】特開平９−７８８６５号
【特許文献３】特開２００３−３８６０３号
【特許文献４】特開２００５−２１１２３８号
【考案の概要】
【考案が解決しようとする課題】
【０００８】
従来健康管理として、プール内での歩行でもたらしていた。この場合、大きな場所を必要とする。健康維持、リハビリとしては水の水圧による運動は非常に効果をもたらす。一方ジェットバスは、狭い範囲に高い圧力が加わるため、体全体に同時に刺激を加えることができない。
【０００９】
また、狙った部位に圧力を加えるためには、浴槽内であまり体を動かすことができない。このため、体全体をリラックスさせることが困難であり、血行促進や十分な睡眠をとること等の生体機能の向上には効果が小さい。そこで本考案が解決しようとする課題は、狭い場所で、人体に広い範囲に刺激を与え、リハビリ、健康維持に効果を与える温水流発生装置を提供することにある。
【課題を解決するための手段】
【００１０】
前記課題を解決するため、温水流を発生させる装置は、浴槽内の温流体を循環させる流体通路を浴槽に付設した温流水を発生させる装置にした。
浴槽内の流体を循環させる流体通路を浴槽に付設した温流水を発生させる装置において、プロペラ流出器と開閉ダンパー整流器からなる上下変動の流通で、流速１〜５ｍ／秒の温水流量で０．５〜３ｍ３の浴槽内で直流循環となる加圧流体を流出する機構を設けている温流水による健康増進装置である。
【００１１】
浴槽内の流体を循環させる流体通路を浴槽に付設した温流水を発生させる装置において、プロペラ撹拌器は、３〜５羽根で羽根の長さ１００〜３００ｍｍであって、回転数を１００〜１０００ｒｐｍで自動的に制御できるようになっている。
好ましくはプロペラ撹拌器を、３羽根で羽根の長さ２００〜３００ｍｍにして、回転数を２００〜８００ｒｐｍである。
【００１２】
浴槽内の流体を循環させる流体通路を浴槽に付設した温流水を発生させる装置において、開閉ダンパーは、横２００〜６００ｍｍ、縦２００〜６００ｍｍの枠体にダンパー板を４〜８枚であって、ダンパー板を２〜８枚であって、水平方向に対して上部に４５°、下部に４５°の角度の範囲で自動的に移動できるようにしている。
好ましくは、開閉ダンパーは、横４００〜６００ｍｍ、縦４００〜６００ｍｍの枠体にダンパー板を４〜６枚であって、水平方向に対して上部に３０°、下部に３０°の角度である。
【００１３】
浴槽内の流体を循環させる流体通路を浴槽における０．５〜３ｍ３の浴槽は温水が循環できるように側面に還流路を設けており、浴槽内の温水の流速１〜５ｍ／秒の上下の渦流流量で加圧されるようにしている。
【００１４】
浴槽内の流体を循環させる流体通路を浴槽に付設した温流水を発生させる装置において、前記圧温水の流体の温度は、３０〜４２℃であって、浴槽の底に足踏み部を設けている。好ましくは、温水の流体の温度は、３５〜３８℃である。
【００１５】
浴槽内の流体を循環させる流体通路を浴槽に付設した温流水を発生させる装置において、浴槽の深さを１０００〜１５００ｍｍであって、外部又は内部に梯子を取り付け、さらに加熱器を内部に取り付けている温流水による健康増進装置である。
浴槽内の流体を循環させる流体通路を浴槽に付設した温流水を発生させる装置において、浴槽の環流の流路に、浮遊物の捕集装置と水質殺菌装置を取り付けている。
【００１６】
流入口の面積は、４００ｃｍ２より小さくにすると、狭い範囲にしか刺激を与えることができず、また、３６００ｃｍ２より大きくすると、使用するプロペラの直径を大きくする必要があり、装置が大掛かりになる。ダンパーの出口面積を４００〜３６００ｃｍ２の範囲にするので、流入口より広い範囲を同時に加圧して刺激することができる。なおこの範囲は、５００〜３０００ｃｍ２にすると好ましく、また４００〜３６００ｃｍ２にするとより好ましく、係る範囲に設定することにより人体背中全体を刺激することができる。
【００１７】
また、前記加圧流体の流速を、１〜５ｍ／ｓにすることも可能である。流速が１ｍ／ｓより小さいと刺激が伝達されず、５ｍ／ｓより大きいと流体に押されて下流側に流されてしまうことがあるからである。
【００１８】
さらに、前記加圧流体を、直径１００〜３００ｍｍの軸流羽根により加圧することも可能である。軸流羽根は、浴槽の外側に設けられ、流出口と流入口をつなぐ流体通路の途中位置に設けられている。直径が１００ｍｍより小さいと、流速が速くなりすぎ、人体に対する刺激が強くなりすぎ、また、３００ｍｍより大きくなると、装置が大型化し、設置が困難になるからである。
【００１９】
また、前記加圧流体の温度を、３０〜４２℃にすることも可能である。温度が３０℃より低いと体温の上昇が小さすぎ、また、４２℃より高いと疲労が大きくなり、長時間の入浴が困難である。
【考案の効果】
【００２０】
本考案によれば次の効果を奏する。
（１）浴槽は、０．５〜２ｍ３に形成されたダンパー枠体の面積を４００〜３６００ｃｍ２の流入口から浴槽内で直流となる加圧流体を噴出するので、流入口より広い範囲を同時に加圧して、人体に刺激することができる。
（２）また、前記加圧流体の流速を１〜５ｍ／ｓにすると、人体に当たった加圧流体により、体表面の広い範囲を大きく振動させることができる。
【００２１】
（３）さらに、半径１００〜３００ｍｍの軸流羽根で加圧すると、装置の巨大化を抑えて少ない振動で運転することができる。
（４）また、加圧流体の温度を、３０〜４２℃にすると、体温を、疲労が小さい範囲まで上昇させることができ、長時間の入浴を行うことができる。
【００２２】
（５）温流水を発生させる装置のように入浴部全体部分で流れがあり、その流れは直流で入浴者の体に刺激を与えるように流れている装置である。
（６）立位状態では血液が下肢部に集中しやすいが、座位状態でも可能であり、血液の流れは分散されて体全体に行き渡る。また、座位状態だと体が非常にリラックスでき、筋肉の緊張も和らげる。よって体全身への効果がある。
【図面の簡単な説明】
【００２３】
【図１】温流水による健康増進装置の平面図
【図２】温流水による健康増進装置の断面図
【図３】開閉ダンパーの整流板の平面図
【図４】開閉ダンパーの整流板の断面図（Ａ）と開閉状況図（Ｂ）
【図５】プロペラ羽根式流出器の図
【図６】足踏み台図（Ａ）  （Ｂ）
【図７】流量コントロールシステム図
【考案を実施するための形態】
【００２４】
以下、本考案の実施の形態について説明する。
図１は本考案の第１の実施の形態に係る温流水を発生させる装置の平面図、図２は同温流水を発生させる装置の側断面図である。
【実施例１】
【００２５】
実施するための形態に係る温流水による健康増進装置は、長さ２２５５ｍｍ、幅１２００ｍｍで、水深を１０００ｍｍに設定できる長さ１３００ｍｍ、幅８００ｍｍ、深さ１２００ｍｍの浴槽３を有し、浴槽３の長手方向の一側には流入口開閉ダンパー２、他側には流出口が形成されている。流入口の開閉ダンパー２及び流出口は一辺５００ｍｍの矩形に形成され、格子状のガード部材を、流入口部と排出口部のそれぞれに設けた。またダンパーの板は４枚で上下に回転できるようにした。
【００２６】
湯水は流入口開閉ダンパー２から上下に流出されて、排出口部を通過して、左右の流体通路４を通って還流した。モータ５によって駆動されているプロペラ羽根の流出器(直径４８０ｍｍの軸流羽根７)に還り、再度加圧湯水の流体を加圧して流出させた。
【００２７】
駆動モータ５は、図７の制御装置により０．５〜５．０ｍ／ｓの範囲で変速可能に設けられている。浴槽内に流入された所定温度の湯は、駆動モータ５を始動することにより流動を開始し、流入口開閉ダンパー２から浴槽３内に噴出された。浴槽３又は流体通路４内にはヒータが設けられており、湯の温度を３６〜３８℃の範囲内で調整した。
【００２８】
図１に示すような装置において、水深１ｍ程度に湯水を入れた。使用者は。装置の中心部に体を置き、温度として約３８℃の湯温に設定し、流速は最初低速の０.５ｍ/ｓから徐々に上げて２ｍ/ｓで流水を発生させた。１５分間程度身体を浴槽に浸して、その後浴槽を出た時、約３０分後足先から腰くらいまでが感覚的に、ぽかぽかして来て、冷え性だった足が暖かくなったと使用者が感想を述べられた。
【実施例２】
【００２９】
実施の形態に係る温流水による健康増進装置は、長さ２２５５ｍｍ、幅１２００ｍｍで、水深を１０００ｍｍに設定できる長さ１３００ｍｍ、幅８００ｍｍ、深さ１２００ｍｍの浴槽３を有し、浴槽３の長手方向の一側には流入口開閉ダンパー２、他側には流出口が形成されている。流入口の開閉ダンパー２及び流出口は一辺５００ｍｍの矩形に形成され、格子状のガード部材を、流入口部と排出口部のそれぞれに設けた。またダンパーの板は４枚で上下に回転できるようにした。
【００３０】
湯水は流入口開閉ダンパー２から上下に流出されて、排出口部を通過して、左右の流体通路４を通って還流した。モータ５によって駆動されているプロペラ羽根の流出器(直径４８０ｍｍの軸流羽根７)に還り、再度加圧湯水の流体を加圧して流出させた。
【００３１】
駆動モータ５は、図７制御装置により０．５〜５．０ｍ／ｓの範囲で変速可能に設けられている。浴槽内に流入された所定温度の湯は、駆動モータ５を始動することにより流動を開始し、流入口開閉ダンパー２から浴槽３内に上下４５度の角度で噴出された。浴槽３又は流体通路４内にはヒータが設けられており、湯の温度を３６〜３８℃の範囲内で調整した。また底には、直径１５０ｍｍのステンレスパイプで長さ５００ｍｍのものを半分にしたものを３個敷いたものを足踏み台として設置した。
【００３２】
図１に示すような装置において、水深１ｍ程度に湯水を入れた。使用者は。装置の中心部に体を置き、温度として約３８℃の湯温に設定し、流速は最初低速の０.５ｍ/ｓから徐々に上げて２ｍ/ｓで上下渦流の温水を発生させた。１５分間程度足踏み台で、足踏みした。その後浴槽を出た時、約３０分後足先から腰くらいまでが感覚的に、ぽかぽかして来て、足が暖かくなり、足の運動には非常に効果的であったと使用者が感想を述べられた。
【００３３】
図２の側断面図の足踏み器を使用し、その感想を伺ったところ、平面の足裏よりパイプ状の足踏み台があった方が足つぼマッサージのようで心地よいとの感想であった。
実施例１と同様に足の部分が暖かくなったように感じるのは同じで、さらに運動した後の心地よい疲労感がふくらはぎ部に感じられた。使用者は通常の流水浴効果と足踏みによる下半身及び脚部の筋力増強と運動量の増加、さらに半円形の踏み足台形状による指圧効果により健康増進することが出来た。
【実施例３】
【００３４】
実施例１と同様な形態に係る温流水による健康増進装置は、長さ２７００ｍｍ、幅１５００ｍｍで、水深を１０００ｍｍに設定できる長さ１８００ｍｍ、幅１１００ｍｍ、深さ１２００ｍｍの浴槽３を有し、浴槽３の長手方向の一側には流入口開閉ダンパー２、他側には流出口が形成されている。流入口の開閉ダンパー２及び流出口は一辺５００ｍｍの矩形に形成され、格子状のガード部材を、流入口部と排出口部のそれぞれに設けた。またダンパーの板は４枚で上下に回転できるようにした。
【００３５】
湯水は流入口開閉ダンパー２から上下に流出されて、排出口部を通過して、左右の流体通路４を通って還流した。モータ５によって駆動されているプロペラ羽根の流出器(直径５５０ｍｍの軸流羽根７)に還り、再度加圧湯水の流体を加圧して流出させた。
【００３６】
駆動モータ５は、図７の制御装置により０．５〜５．０ｍ／ｓの範囲で変速可能に設けられている。浴槽内に流入された所定温度の湯は、駆動モータ５を始動することにより流動を開始し、流入口開閉ダンパー２から浴槽３内に上下４５度の角度で噴出された。浴槽３又は流体通路４内にはヒータが設けられており、湯の温度を３６〜３８℃の範囲内で調整した。また底には、直径１５０ｍｍのステンレスパイプで長さ５００ｍｍのものを半分にしたものを３個敷いたものを足踏み台として設置した。
【００３７】
図１に示すような装置において、水深１ｍ程度に湯水を入れた。使用者は。装置の中心部に体を置き、温度として約３６℃の湯温に設定し、流速は最初低速の０.５ｍ/ｓから徐々に上げて２ｍ/ｓで上下流の温水を発生させた。３０分間程度足踏み台で、足踏みした。その後浴槽を出た時、約３０分後足先から腰くらいまでが感覚的に、ぽかぽかして来て、足が暖かくなり、足の運動には非常に効果的であったと使用者が感想を述べられた。
【００３８】
図６の側断面図の足踏み器を使用し、その感想を伺ったところ、平面の足裏よりパイプ状の足踏み台があった方が足つぼマッサージのようで心地よいとの感想であった。
実施例１と同様に足の部分が暖かくなったように感じるのは同じで、さらに運動した後の心地よい疲労感がふくらはぎ部に感じられた。
使用者は通常の流水浴効果と足踏みによる下半身及び脚部の筋力増強と運動量の増加、さらに半円形の踏み足台形状による指圧効果により健康増進することが出来た。
【００３９】
さらに、実施例２と同じ条件で、１５分間ほど浴槽浸かるのは同じで、中速（流速２.０ｍ/ｓ〜3ｍ/ｓ）にして、同じ動きをした。１５分間の歩行運動を行い、終了した時点では実施例２と同じ感覚であるが、ぽかぽかして来る時間が早くなった。
【００４０】
高速の場合、水の圧力が強くなり（流速３.２ｍ/ｓ）高齢者や体力的に弱い人には、多少きついと思われるのであまり進められない、刺激が強い方がよいと言われる方には十分な水圧であるが、体力の消耗が早くなるため１５分が限界であった。（長時間流水に体を当てると疲れるようだ）
【実施例４】
【００４１】
実施の形態に係る温流水による健康増進装置は、長さ２７００ｍｍ、幅１５００ｍｍで、水深を１０００ｍｍに設定できる長さ１８００ｍｍ、幅１１００ｍｍ、深さ１２００ｍｍの浴槽３を有し、浴槽３の長手方向の一側には流入口開閉ダンパー２、他側には流出口が形成されている。流入口の開閉ダンパー２及び流出口は一辺５００ｍｍの矩形に形成され、格子状のガード部材を、流入口部と排出口部のそれぞれに設けた。またダンパーの板は３枚で上下に回転できるようにした。
【００４２】
湯水は流入口開閉ダンパー２から上下に流出されて、排出口部を通過して、左右の流体通路４を通って還流した。モータ５によって駆動されているプロペラ羽根の流出器(直径４８０ｍｍの軸流羽根７)に還り、再度加圧湯水の流体を加圧して流出させた。
【００４３】
駆動モータ５は、図７制御装置により０．５〜５．０ｍ／ｓの範囲で変速可能に設けられている。浴槽内に流入された所定温度の湯は、駆動モータ５を始動することにより流動を開始し、流入口開閉ダンパー２から浴槽３内に上下４５度の角度で噴出された。浴槽３又は流体通路４内にはヒータが設けられており、湯の温度を３６〜３８℃の範囲内で調整した。また底には、直径１５０ｍｍのステンレスパイプで長さ５００ｍｍのものを半分にしたものを３個敷いたものを足踏み台として設置した。また浴槽に入り易くするために５段の階段を外部と、腰掛兼用の２段ステップを内部に設けた。さらに温湯水の循環の水路には紫外線殺菌器と浮遊物捕集の目開き１ｍｍの樹脂ネットをセットした。
【００４４】
図１に示すような装置において、水深１ｍ程度に湯水を入れた。使用者は。装置の中心部に体を置き、温度として約３８℃の湯温に設定し、流速は最初低速の０.５ｍ/ｓから徐々に上げて３.２ｍ/ｓで上下流の湯水を発生させた。１５分間程度足踏み台で、足踏みした。流速が早くなると（３.２ｍ/ｓ）運動量が増加するので、短時間で（１０分程）実施例２の効果に至ったが、ぽかぽか感よりも疲労感の方が勝った。
【００４５】
図７の側断面図の足踏み器を使用し、その感想を伺ったところ、平面の足裏よりパイプ状の足踏み台があった方が足つぼマッサージのようで心地よいとの感想であった。
実施例１と同様に足の部分が暖かくなったように感じるのは同じで、さらに運動した後の心地よい疲労感がふくらはぎ部に感じられた。
使用者は通常の流水浴効果と足踏みによる下半身及び脚部の筋力増強と運動量の増加、さらに半円形の踏み足台形状による指圧効果により健康増進することが出来た。
【００４６】
また、腰掛兼用の２段ステップを内部に設けたことにより、腰掛けた状態で胸の位置まで流水浴を行うことが出来た。この状態で１５分入浴した後浴槽を出た時、下半身から、腹部、胸部にかけて感覚的に、ぽかぽかして来て暖かくなり、流水浴効果がみとめられた。
【符号の説明】
【００４７】
１．温流水を発生させる装置
２．開閉ダンパー
３．浴槽
４．還流路
５．駆動モーター
６．駆動プーリー
７．駆動ベルト
８．受動プーリー
９．羽式流出器
１０．昇降梯子
１１．足踏み器
１２．整流板枠
１３．整流板
１４．調整ハンドル
１５．回転軸
１６．調整ねじ
１７．固定軸受け
１８．可動軸受け
１９．プロペラ羽
２０．プロペラ軸
２１．軸受け
２２．足踏み半パイプ